(57)【要約】【課題】記録プレートを搬入装置に搭載する際に、その種類に応じて容易か適切つな位置決めを可能とし、記録プレートを画像記録装置に適切に搬入する。【解決手段】複数の記録プレートをまとめて取り扱うためのスキッドが搭載されるスキッド搭載部（２３）と、標準幅の記録プレート用のスキッド（３）を搭載する際に、そのスキッドの一部と係合してスキッド搭載部におけるスキッドの搭載方向に直交する方向の位置決めを行う第１ガイド部（５０）と、２倍幅の記録プレート用のスキッド（１０３）を搭載する際に、そのスキッドの一部と係合してスキッド搭載部におけるスキッドの搭載方向に直交する方向の位置決めを行う第２ガイド部（５１）とを備えた搬送装置（４）とする。【選択図】    図３
2004354607.tif 000002
【特許請求の範囲】
【請求項１】
複数の記録プレートをまとめて取り扱うためのスキッドが搭載されるスキッド搭載部と、標準幅の記録プレート用のスキッドを搭載する際に、そのスキッドの一部と係合して前記スキッド搭載部における前記スキッドの搭載方向に直交する方向の位置決めを行う第１ガイド部と、２倍幅の記録プレート用のスキッドを搭載する際に、そのスキッドの一部と係合して前記スキッド搭載部における前記スキッドの搭載方向に直交する方向の位置決めを行う第２ガイド部とを備えたことを特徴とする搬入装置。
【請求項２】
複数の記録プレートをまとめて取り扱うためのスキッドを搭載可能なスキッド搭載部と、その搭載部に着脱自在に設けられ、標準幅の記録プレート用のスキッドを搭載する際に、そのスキッドの一部と係合して前記スキッド搭載部における前記スキッドの搭載方向の位置決めを行う位置決めストッパとを備えたことを特徴とする搬入装置。
【請求項３】
前記スキッド搭載部から取り外した前記位置決めストッパを載置可能なストッパ載置部を更に備えたことを特徴とする請求項２に記載の搬入装置。
【発明の詳細な説明】
【０００１】
【発明の属する技術分野】
本発明は、画像記録装置のプレート格納部に記録プレートを搬入する際に、複数の記録プレートをまとめて取り扱うためのスキッドを搭載して、画像記録装置のプレート格納部に記録プレートを搬入する搬入装置に関するものである。
【０００２】
【従来の技術】
近年、平板印刷では、表面に感剤がコーティングされてレーザ光の照射による露光により所要の画像が記録される記録プレートが印刷版として用いられている。このような記録プレートには、シングルプレートと称される標準幅の記録プレートと、ワイドプレートと称される２倍幅の記録プレートとが存在し、それぞれが多数積み重ねた状態で画像記録装置内のプレート格納部に搬入される。そのような記録プレートの搬入に用いる搬入装置として、例えば、リフト爪を記録プレートの堆積物を積載したスキッドの脚部間の間隙へ挿入してスキッドを自動製版装置に搬入する構成が知られている（例えば、特許文献１参照。）。
【０００３】
【特許文献１】
特開０７−２０９８７７号公報
【０００４】
【発明が解決しようとする課題】
しかし、上記のような従来の搬入装置では、搬入装置との位置決めの便宜や重量の制約等から搬入する記録プレートの種類（シングルプレート若しくはワイドプレート）に応じて、それぞれ専用の装置を準備したり、オペレータが個別に位置決め作業を行う必要があった。
【０００５】
そこで、本発明は、このような従来技術の問題点を解消するべく案出されたものであり、記録プレートを搬入装置に搭載する際に、その種類に応じて容易か適切つな位置決めを可能とし、画像記録装置に適切に搬入することができる搬入装置を提供することを目的とする。
【０００６】
【課題を解決するための手段】
上記目的を達成するために、本発明は、搬入装置の構成を、複数の記録プレートをまとめて取り扱うためのスキッドが搭載されるスキッド搭載部と、標準幅の記録プレート用のスキッドを搭載する際に、そのスキッドの一部と係合してスキッド搭載部におけるスキッドの搭載方向に直交する方向の位置決めを行う第１ガイド部と、２倍幅の記録プレート用のスキッドを搭載する際に、そのスキッドの一部と係合してスキッド搭載部におけるスキッドの搭載方向に直交する方向の位置決めを行う第２ガイド部とを有するものとした。
【０００７】
【発明の実施の形態】
本発明の第１の実施の態様に係る搬入装置は、複数の記録プレートをまとめて取り扱うためのスキッドが搭載されるスキッド搭載部と、標準幅の記録プレート用のスキッドを搭載する際に、そのスキッドの一部と係合してスキッド搭載部におけるスキッドの搭載方向に直交する方向の位置決めを行う第１ガイド部と、２倍幅の記録プレート用のスキッドを搭載する際に、そのスキッドの一部と係合してスキッド搭載部におけるスキッドの搭載方向に直交する方向の位置決めを行う第２ガイド部とを備えた構成とする。これによると、記録プレートを搬入装置に搭載する際に、プレートの種類（標準幅若しくは２倍幅）に応じてスキッド搭載部におけるスキッドの搭載方向に直交する方向の位置決めを容易かつ適切に行うことができる。従って、プレート幅によって異なる搬入装置を用いる必要もない。
【０００８】
ここで、スキッドは、記録プレートの載置部と、その下側の一対の脚部（スキッド搭載部との係合部）とを備えた構成とし、この一対の脚部の間の間隙寸法と概ね同一になるように、スキッド搭載部に設けたガイド部の幅方向（搬入装置の左右方向）の外寸を設定することができる。これにより、脚部の間に画成された間隙にスキッド搭載部を進入させ、ガイド部の外側の側縁部がスキッドの脚部に当接するようにしてスキッド搭載部におけるスキッドの搭載方向に直交する方向の位置を規定することができる。また、第１及び第２ガイド部は、それぞれの幅方向の外寸を異なるものとし、それらに対応して標準サイズ及び２倍幅サイズの記録プレートのスキッドの脚部の間の間隙寸法をそれぞれ設定することができる。
【０００９】
本発明の第２の実施の態様に係る搬入装置は、複数の記録プレートをまとめて取り扱うためのスキッドを搭載可能なスキッド搭載部と、その搭載部に着脱自在に設けられ、標準幅の記録プレート用のスキッドを搭載する際に、そのスキッドの一部と係合してスキッド搭載部におけるスキッドの搭載方向の位置決めを行う位置決めストッパとを備えた構成とする。これによると、記録プレートを搬入装置に搭載する際に、プレートの種類に応じてスキッド搭載部におけるスキッドの搭載方向の位置決めを容易かつ適切に行うことができる。従って、プレート幅によって異なる搬入装置を用いる必要もない。ここで、スキッド搭載部は、２倍幅の記録プレート用のスキッドに適応するものとし、２倍幅の記録プレートを搭載する際には、スキッド搭載部の後側に設けた規制部（例えば、スキッドに当接する壁部）によって位置決めを行うことができる。
【００１０】
本発明の第３の実施の態様に係る搬入装置は、上記第２の実施の態様に係る構成において、スキッド搭載部から取り外した位置決めストッパを載置可能なストッパ載置部を更に備えた構成とすることができる。これによると、２倍幅の記録プレートを搭載する際に不要となる位置決めストッパをスキッド搭載部の近傍に置くことができるので、搭載するプレート幅の切り替えのための作業が容易となる。
【００１１】
以下、本発明の実施の形態について、図面を参照して詳細に説明する。
【００１２】
図１は、本発明による記録プレートの搬入装置及びその搬入先となる画像記録装置を示す上面図である。画像記録装置１のプレート格納部２に対して、複数の記録プレートＡをまとめて取り扱うためのスキッド３を搭載した搬入装置４が記録プレートＡを搬入する。
【００１３】
画像記録装置１は、搬入装置４をプレート格納部２内の所定の荷降ろし位置に案内するガイドレール５と、搬入装置４を荷降ろし位置で停止させるストッパ６と、記録プレートＡに画像を記録する記録ユニット８と、記録ユニット８に記録プレートＡを供給する給版ユニット９と、記録プレートＡを積み重ねてできた堆積物が配置されたプレート格納部２から最上の記録プレートＡを１枚ずつ取り上げて給版ユニット９に移送する吸着ユニット１０とを有している。記録ユニット８は、記録プレートＡをドラム１１に巻き付けて保持させ、このドラム１１をドラム回転モータ１２により回転させると共に記録ヘッド１３をリニアモータでドラム１１の軸方向に走行させることにより記録プレートＡに画像を記録する。給版ユニット９は、吸着ユニット１０で搬送ベルト１４上に載置された記録プレートＡをドラム１１に送り込む。ここでスキッド３に保持される記録プレートＡは、ドラム１１に横に並べて２枚取り付け可能なシングルプレート（標準幅の記録プレート）であるが、ワイドプレート（２倍幅の記録プレート）の場合も同様である。
【００１４】
図２は、図１に示した搬入装置及び画像記録装置の側面図である。記録プレートの搬入では、所定の荷降ろし位置に設定された搬入装置４からスキッド３を降ろすことで、プレート格納部２内の床面上の所定の格納位置にスキッド３が据え付けられる。ガイドレール５及びストッパ６は、搬入装置４が進入するプレート格納部２の床面上に設けられており、これにより所定の荷降ろし位置に設定された搬入装置４からスキッド３を降ろすことで、プレート格納部２内の床面上の所定の格納位置にスキッド３が据え付けられる。
【００１５】
吸着ユニット１０は、昇降自在にガイドポスト１６に支持され、記録プレートＡを保持する吸着パッド１７を備えており、図示する待機位置から降下してスキッド３上の記録プレートＡを取り上げて上昇し、その下側位置にせり出した給版ユニット９上に記録プレートＡを載置する。吸着ユニット１０から記録プレートＡを受け取った給版ユニット９は、待機位置に復帰した上で記録プレートＡをドラム１１に送り込む。給版ユニット９の下側には、ドラム１１から記録済みの記録プレートＡを受け入れて外部に排出する排版ユニット１９が設けられている。
また、この画像記録装置１には、スキッド３が載置されるプレート格納部２だけでなく、記録プレートＢを別途収容可能な箱状容器からなるカセット２０がプレート格納部２１に設けられている。このカセット２０は、吸着ユニット１０で給版ユニット９への移送が可能なようにスキッド３の上方にせり出すようになっている。
【００１６】
図３は、図１に示した搬入装置の構成の詳細を示す図である。図３（ａ）、（ｂ）は、それぞれ搬入装置４の上面図及び側面図である。この搬入装置４は、スキッド３が搭載されるフォーク状のスキッド搭載部２３を備えた本体２４と、操舵輪２５を支持する車輪支持体２６と、車輪支持体２６に対して本体２４を昇降させる油圧シリンダ２７と、操舵輪２５を操舵するハンドル２８と、スキッド搭載部２３の両側面に設けられた一対のシングルプレート用の第１ガイド部５０及び一対のワイドプレート用の第２ガイド部５１と、シングルプレートを搭載する際に搭載方向（搬入装置の前後方向）におけるスキッド３の位置決めを行うためにスキッド搭載部２３の所定位置に取付けられた位置決めストッパ６０と、スキッド搭載部２３の後側に設けられ、ワイドプレートを搭載する際にスキッド３の位置決めを行うための規制部６１とを有している。なお、ここではスキッド搭載部２３はフォーク状であるが、スキッドを同様に搭載可能な限りにおいて、種々の形状が可能である。
【００１７】
ここで、第１ガイド部５０は、シングルプレートを搭載する際に搭載方向に直交する方向（搬入装置の左右方向）におけるスキッド３とスキッド搭載部２３との位置決めを行い、第２ガイド部５１は、ワイドプレートを搭載する際に同様の位置決めを行う。第１ガイド部５０は、それぞれ先端に向かって漸縮するテーパ部５０ａを有しており、記録プレートＡを載置する際にスキッド３に対するスキッド搭載部２３の相対位置を厳密に整合させなくても相対位置を修正可能である。第２ガイド部５１のテーパ部５１ａについても同様である。
【００１８】
位置決めストッパ６０は、持ち運びを容易とする把手６０ａと、ねじ止めにより自身をスキッド搭載部２３へ固定するための固定具６０ｂとを有し、スキッド搭載部２３に対して着脱自在であり、ワイドプレートを搭載する際には、スキッド搭載部２３から取り外されてストッパ載置部７０に載置される。
【００１９】
図４は、図１に示した搬入装置の積み込み状況を示す側面図である。この搬入装置４では、ハンドル２８のポンピング操作でプランジャポンプ２９を作動させて油圧を油圧シリンダ２７に供給して本体２４を上昇させ、油圧シリンダ２７の油圧を解放することで本体２４を降下させる。また、本体２４の昇降に連動して前輪３０の支持アーム３１を回動させてスキッド搭載部２３を水平に保持する。
【００２０】
また、この搬入装置４は、スキッド搭載部２３を備えた本体２４の昇降動作と装置自身の前後の進退動作でスキッド３の積み降ろしが行われる。すなわち、スキッド３を積み込む際には、スキッド３における脚部３５に支持された平板状のプレート載置部３４の下側の受入部３６に対応する高さにスキッド搭載部２３を降下させた上で、搬入装置４を前進させてスキッド３の受入部３６にスキッド搭載部２３を進入させた後、スキッド３の脚部３５が走行の支障のならない高さ位置までスキッド搭載部２３を上昇させれば良く、スキッド３を降ろす際には、スキッド搭載部２３を降下してスキッド３の脚部３５を床面に接地させた上で、搬入装置４を後退させてスキッド３の受入部３６からスキッド搭載部２３を引き抜けば良く、これにより直下の床面上にスキッド３が載置される。
【００２１】
図５は、図４に示した搬入装置にシングルプレートを搭載する場合のスキッド搭載部の斜視図である。図に示すように、搬入装置４を前進（矢印方向）させてスキッド３の受入部３６にスキッド搭載部２３を進入させた際に、脚部３５が第１ガイド部５０によって案内され、スキッド搭載部２３におけるスキッド３の搭載方向に直交する方向の位置決めが行われる。詳細には、スキッド搭載部２３部の外側の側縁部がスキッド３の脚部３５に当接することで搭載方向に直交する方向におけるスキッド３の位置が規定される。
【００２２】
図６は、図４に示した搬入装置にワイドプレートを搭載する場合のスキッド搭載部の斜視図である。シングルプレートの場合と同様に、搬入装置４を前進させてスキッド１０３の受入部１３６にスキッド搭載部２３を進入させた際に、脚部１３５が第２ガイド部５１によって案内され、スキッド搭載部２３におけるスキッド１０３の搭載方向に直交する方向の位置決めが行われる。このとき、第２ガイド部５１の幅方向（搬入装置の左右方向）の外寸は、第１ガイド部５０よりも大きく設定されているので、第１ガイド部５０はスキッド１０３の搭載動作に影響を及ぼさない。また、位置決めストッパ６０は、スキッド搭載部２３の所定位置（溝部２３ｄ）から取り外され、ストッパ載置部７０に載置される。ストッパ６０は、磁石に引き付けられる材料（例えば、鉄）で形成されており、ストッパ載置部７０に設けた磁石７０ｂによってストッパ６０を磁力で固定することができる。
【００２３】
図７は、図４に示した搬入装置の位置決めストッパの背面側斜視図である。ストッパ６０の背面には、スキッド搭載部２３の溝部２３ｄ（図６参照）と係合して配置位置を容易に決定するための突起部６０ｂが形成され、両端付近には、ねじ止めによりスキッド搭載部２３へ固定するための固定具６０ｈが貫通する穴６０ｈが設けられている。
【００２４】
図８は、図４に示した搬入装置に記録プレートを搭載した場合の上面図である。図８（ａ）は、シングルプレート用スキッド３を搭載した場合であり、位置決めストッパ６０の前側縁部とスキッド３の側面が当接することによって、スキッド３が規制されて搬入装置４の前後方向の位置決めがなされる一方で、脚部３５が第１ガイド部５０によって案内されて搬送装置４の左右方向における位置決めがなされる。また、図８（ｂ）は、ワイドプレート用スキッド１０３を搭載した場合であり、規制部６１の前側縁部とスキッド１０３の側面が当接することによって、スキッド１０３が規制されて搬入装置４の前後方向の位置決めがなされる一方で、脚部１３５（ここでは、第２ガイド部５１側の２つの脚部）が第２ガイド部５１によって案内されて搬送装置４の左右方向における位置決めがなされる。
【００２５】
図９は、画像記録装置の格納部へのシングルプレートの搬入状況を示す側面図である。ここで、画像記録装置１の格納部２には、２つのシングルプレート用スキッド３が並列に配置される。図９（ａ）は、スキッド３を格納部２の奥側（給版ユニット９側）に配置する場合であり、前述のように、スキッド３の積み降ろしは、本体２４の昇降動作と装置自身の進退動作により行われ、格納部２における位置決めは、ガイド部５とストッパ６によって行われる。また、図９（ｂ）は、スキッド３を格納部２の手前側に配置する場合であり、ことのき、格納部２における搬入方向の位置は、奥側のスキッと３により規制される。
【００２６】
図１０は、画像記録装置の格納部へのワイドプレートの搬入状況を示す側面図である。ここで、画像記録装置１の格納部２には、１つのワイドプレート用スキッドが配置される。ここで、スキッド１０３の積み降ろし及び格納部における位置決めは、シングルプレートの場合と同様である。
【００２７】
【発明の効果】
このように本発明によれば、記録プレートを搬入装置に搭載する際に、その種類に応じて容易か適切つな位置決めを可能とし、画像記録装置に適切に搬入することができる。
【図面の簡単な説明】
【図１】本発明による記録プレートの搬入装置及び画像記録装置の上面図
【図２】図１に示した搬入装置及び画像記録装置の側面図
【図３】図１に示した搬入装置の構成の詳細を示す図
【図４】図１に示した搬入装置の積み込み状況を示す側面図
【図５】図４に示した搬入装置にシングルプレートを搭載する場合のスキッド搭載部の斜視図
【図６】図４に示した搬入装置にワイドプレートを搭載する場合のスキッド搭載部の斜視図
【図７】図４に示した搬入装置の位置決めストッパの背面側斜視図
【図８】図４に示した搬入装置に記録プレートを搭載した場合の上面図
【図９】画像記録装置の格納部へのシングルプレートの搬入状況を示す側面図
【図１０】画像記録装置の格納部へのワイドプレートの搬入状況を示す側面図
【符号の説明】
１  画像記録装置
２  プレート格納部
３、１０３  スキッド
４  搬入装置
５  ガイドレール
６  ストッパ
２０  カセット
２１  プレート格納部
２３  スキッド搭載部
Ａ、Ｂ、Ｃ  記録プレート
【図１】
2004354607.tif 000003
【図２】
2004354607.tif 000004
【図３】
2004354607.tif 000005
【図４】
2004354607.tif 000006
【図５】
2004354607.tif 000007
【図６】
2004354607.tif 000008
【図７】
2004354607.tif 000009
【図８】
2004354607.tif 000010
【図９】
2004354607.tif 000011
【図１０】
2004354607.tif 000012